(57)【要約】【課題】  イベントの趣旨に合わせたデザインを発光させるものであって、デザインの加工が容易で大量生産できるアクセサリー状発光体を提供する。【解決手段】  本発明に係る発光体は、利用者の指または腕に装着するための装着部材を備えた本体部と、本体部の上面に設けられ、光を放射する発光部と、本体部の内部に設けられ、前記発光部に電力を供給する電源部と、発光部を覆うように設けられた、光透過性を有する第一の蓋部分、および、非透過性を有する第二の蓋部分からなる蓋部とを備え、本体部の底部には、前記利用者の指または腕の形状に対応した凹部が設けられ、発光部から放射された光は、前記第一の蓋部分のみを透過することを特徴とする。【選択図】図１
2015225695.tif 000002
【特許請求の範囲】
【請求項１】
利用者の指または腕に装着するための装着部材を備えた本体部と、
前記本体部の上面に設けられ、光を放射する発光部と、
前記本体部の内部に設けられ、前記発光部に電力を供給する電源部と、
前記発光部を覆うように設けられた、光透過性を有する第一の蓋部分、および、非透過性を有する第二の蓋部分からなる蓋部と
を備え、
前記本体部の底部には、前記利用者の指または腕の形状に対応した凹部が設けられ、
前記発光部から放射された光は、前記第一の蓋部分のみを透過する発光体。
【請求項２】
前記第一の蓋部分は、所定の図形またはイラストを線図として表現することを特徴とする請求項１に記載の発光体。
【請求項３】
前記蓋部は、光透過性を有する樹脂層、および、該樹脂層上に設けられた金属メッキ層を有し、
前記第一の蓋部分は、前記金属メッキ層に加工処理を施すことにより形成されることを特徴とする請求項１または２に記載の発光体。
【請求項４】
前記樹脂層は、ＡＢＳ樹脂で形成されることを特徴とする請求項３に記載の発光体。
【請求項５】
前記金属メッキ層は、ニッケル、銅、スズ、白金、金、亜鉛、カドミウム、クロム、または、これらの合金で形成されることを特徴とする請求項３または４に記載の発光体。
【請求項６】
前記加工処理は、レーザーエッチング加工であることを特徴とする請求項３または４に記載の発光体。
【請求項７】
前記本体部は、少なくとも前記電源部による前記発光部への電力の供給のＯＮまたはＯＦＦを切り替えるスイッチ部を有することを特徴とする請求項１〜６のいずれか一項に記載の発光体。
【請求項８】
前記装着部材は、弾性材で構成されることを特徴とする請求項１〜７のいずれか一項に記載の発光体。
【請求項９】
前記弾性材は、シリコンであることを特徴とする請求項８に記載の発光体。
【請求項１０】
前記発光部は、１以上の発光ダイオードで構成されることを特徴とする請求項１〜９のいずれか一項に記載の発光体。
【請求項１１】
前記本体部は、前記発光部の発光条件を制御する制御部を有することを特徴とする請求項１〜１０のいずれか一項に記載の発光体。
【発明の詳細な説明】
【技術分野】
【０００１】
本発明は、発光体に関し、特に、利用者の指または腕に装着される発光体に関するものである。
【０００２】
イベント・祝祭行事などにおいて、ペンライトや照明などの光を用いて演出効果を高めるものや、光によって人の興味を引き立てる発光体が多く流通している。
【０００３】
イベント等の多数の人が集まる場所において発光体を使用する場合、その発光体は、軽量で、装着しやすい形状、十分な照度、および、それを維持できるだけの電力を備える必要がある。また、そのイベントに合わせて光の演出を変えられるように、デザインを加工しやすく、簡単に大量生産することができる発光体が望まれる。
【０００４】
近年の利用者の指に装着される発光体として、特許文献１に開示されている玩具体が知られている。
【０００５】
特許文献１には、使用者が腰、または、指に装着した玩具体同士を接近、または、離間させると、発光等の演出がされる技術が開示されている。この玩具体は、一部が透光性を有する材料で構成された装飾部を有しており、その装飾部には発光部が内蔵されている。発光部からの光は装飾部を介して外部から視認可能である。
【先行技術文献】
【特許文献】
【０００６】
【特許文献１】特開２０１４−４３１６号公報
【発明の概要】
【発明が解決しようとする課題】
【０００７】
しかしながら、特許文献１記載の玩具体は、装飾部分の透光性を有する部分から光を通過させるものの、その光は、何らかの文字や絵柄を表現するものではない。そのため、イベント等の用途では、必要とされる演出に沿ったより豊かな表現が可能な発光体の開発が望まれていた。
【０００８】
そこで、本発明は、上記事情に鑑み、イベントの趣旨に合わせたデザインを有し、かつ、デザインの加工が容易で大量生産することができる発光体を提供することを目的とするものである。
【課題を解決するための手段】
【０００９】
本発明に係る発光体は、利用者の指または腕に装着するための装着部材を備えた本体部と、本体部の上面に設けられ、光を放射する発光部と、本体部の内部に設けられ、発光部に電力を供給する電源部と、発光部を覆うように設けられた、光透過性を有する第一の蓋部分、および、非透過性を有する第二の蓋部分からなる蓋部とを備え、本体部の底部には、利用者の指または腕の形状に対応した凹部が設けられ、発光部から放射された光は、第一の蓋部分のみを透過することを特徴とする。
【００１０】
第一の蓋部分は、所定の図形またはイラストを線図として表現することができる。
【００１１】
蓋部は、光透過性を有する樹脂層、および、樹脂層上に設けられた金属メッキ層を有し、第一の蓋部分は、金属メッキ層に加工処理を施すことにより形成されることができる。
【００１２】
樹脂層は、ＡＢＳ樹脂で形成されることができる。
【００１３】
金属メッキ層は、ニッケル、銅、スズ、白金、金、亜鉛、カドミウム、クロム、または、これらの合金で形成されることができる。
【００１４】
加工処理は、レーザーエッチング加工とすることができる。
【００１５】
本体部は、少なくとも電源部による発光部への電力の供給のＯＮまたはＯＦＦを切り替えるスイッチ部を有することができる。
【００１６】
装着部材は、弾性材で構成されることができる。
【００１７】
弾性材は、シリコンとすることができる。
【００１８】
発光部は、１以上の発光ダイオードで構成されることができる。
【００１９】
本体部は、発光部の発光条件を制御する制御部を有することができる。
【発明の効果】
【００２０】
本発明によれば、イベントの趣旨に合わせたデザインを有することができ、かつ、デザインの加工が容易で大量生産することができる発光体を提供することができる。
【図面の簡単な説明】
【００２１】
【図１】本発明の実施形態に従う発光体の正面図
【図２】本発明の実施形態に従う発光体の背面図
【図３】本発明の実施形態に従う発光体の右側面図
【図４】本発明の実施形態に従う発光体の平面図
【図５】本発明の実施形態に従う発光体の底面図
【図６】本発明の実施形態に従う発光体の右側面断面図
【図７】本発明の実施形態に従う発光体の蓋部断面図
【図８】本発明の実施形態に従う発光体の発光部図
【図９】本発明の実施形態に従う発光体の分解図
【発明を実施するための形態】
【００２２】
本発明の発光体の実施形態について、図面を参照しながら詳細に説明する。
なお、以下、本発明の発光体が指輪である場合について説明を行うが、これに限られるものではなく、本発明の発光体は、ペンダントや腕輪等の、暗所でのイベントで用いることが可能なあらゆる形態とすることもできる。
【００２３】
図１〜５は、それぞれ、本発明の実施形態に従う発光体の正面図、背面図、右側面図、平面図、底面図であり、図６は、本発明の実施形態に従う発光体の右側面の断面を模式的に示した図である。なお、図示しない左側面図は右側面図と同一である。
【００２４】
図１〜６（特に図６）に示すように、本発明の発光体１００は、本体部１０と、発光部２０と、電源部３０と、蓋部４０とを備える。
【００２５】
上記本体部１０は、利用者の指または腕に装着するための装着部材１１を備える。本体部１０は、蓋部４０のみから光を通過させる必要があるため、非透過性の材料で構成されており、例えば、透過性を有さないプラスチックや金属等で構成されることができる。装着部材１１は、例えば、指に装着する場合には、シリコン等の弾性材で形成されるのが好ましく、腕に装着する場合には、調節機能の付いたバンドで形成されるのが好ましい。
【００２６】
上記発光部２０は、本体部１０の上面に設けられ、光を放射する。発光部２０としては、例えば、発光ダイオード等を用いることができる。詳細については後述する。
【００２７】
上記電源部３０は、本体部１０の内部に設けられ、発光部２０に電力を供給する。電源部３０としては、例えば、ボタン電池等を用いることができる。詳細については後述する。
【００２８】
上記蓋部４０は、図１に示すように、発光部２０を覆うように設けられた、光透過性を有する第一の蓋部分４１、および、非透過性を有する第二の蓋部分４２からなる。
【００２９】
第一の蓋部分４１は、発光部２０発光の様子が外から確認できるように透過性を有したものをいう。例えば、半透明のプラスチックやガラス等で構成されてもよい。また、内側に装飾シートを備えてもよい。
【００３０】
第二の蓋部分４２は、発光部２０の発光の様子が外から確認できないように非透過性を有したものをいう。例えば、不透明のプラスチックや金属等で構成されてもよい。
【００３１】
そして、上記本体部１０の底部には、図２、４および５に示すように、利用者の指または腕の形状に対応した凹部１２が設けられる。凹部１２を備えることにより、利用者が装着しやすくなるという効果がある。
【００３２】
そして、本発明の発光体１００は、発光部２０から放射された光が、第一の蓋部分４１のみを透過することを特徴とする。
【００３３】
上記第一の蓋部分４１は、所定の図形またはイラストを線図として表現することができる。図１では、第一の蓋部分４１が、文字、王冠のイラストおよび星形を線図として表現された例を示している。
【００３４】
また、本発明の発光体１００は、発光部２０の発光条件を制御する制御部１５を有することができる
【００３５】
このとき、電源部３０は、発光部２０、および、制御部１５に電力を供給するものとする
【００３６】
上記制御部１５は、制御回路を有するものとし、例えば、ＩＣチップ等の基板回路で構成されることができる。
【００３７】
図７は、上記蓋部４０の断面を模式的に示した図である。図７に示すように、上記蓋部４０は、光透過性を有する樹脂層４３、および、樹脂層４３上に設けられた金属メッキ層４４を有し、第一の蓋部分４１は、金属メッキ層４４に加工処理を施すことにより形成されることができる。
【００３８】
上記樹脂層４３は、ＡＢＳ樹脂で形成されることができる。ＡＢＳ樹脂とは、耐熱温度が７０〜１００℃で、比重が１．０５から１．０７の材料の、アクリロニトリル，ブタジエン，スチレンを重合させてつくられる樹脂を言う。
【００３９】
上記金属メッキ層４４は、ニッケル、銅、スズ、白金、金、亜鉛、カドミウム、クロム、または、これらの合金で形成されることができる。ニッケルをメッキとして使用する際には、樹脂が不導体なため、通電による電子ではなく、めっき液に含まれる還元剤の酸化によって放出される電子により、液に含浸することで被メッキ物に金属ニッケル皮膜を析出させる無電解メッキという方法を用いることができる。
【００４０】
上記加工処理は、レーザーエッチング加工とすることができる。レーザーエッチング加工とは、樹脂層の表面に当該樹脂層とは異なる塗料を重ねて塗膜を形成し、当該塗膜の一部にレーザー光を照射して塗膜を除去し、当該塗膜除去した部分から見える樹脂層を文字または絵柄として表す技術である。これにより、イベント等に応じた図形等を有する発光体１００を簡単に量産することができる。
【００４１】
上記本体部１０は、図５に示すように、少なくとも電源部３０による発光部２０への電力の供給のＯＮまたはＯＦＦを切り替えるスイッチ部１３を有することができる。例えば、スイッチ部１３を押す回数や時間に基づいて、発光部２０の照度や色の切り替え制御を行うことができる。
【００４２】
スイッチ部１３を操作すると、スイッチ部１３に連結されているスイッチ板１４が作動して、電源部３０が発光部２０、および、制御部１５に電力を供給する。
【００４３】
上記スイッチ部１３をＯＮにすると、発光部２０から放射された光が第一の蓋部分４１を通過する。第一の蓋部分４１が図形、または、イラスト等の線図で表されているため、発光体を見る者は、蓋部４０上の発光したイラスト等の線図を見ることができる。
【００４４】
上記電源部３０は、例えば、乾電池やボタン電池等とするのが好ましいが、バッテリー等のように、外部電源と接続し、電源の供給を受けるものとすることもできる。
【００４５】
また、本体部１０は、図４等に示すように、電源部３０を入れ替えるための電源入替部１６を有することもできる。利用者は、この電源入替部１６を取り外すことにより、本体部の内部に電池等の電源部３０を配置することができる。
【００４６】
さらに、本体部１０は、上記電源入替部１６の取り外しが容易となるよう、該電源入替部１６に隣接した切欠部１７を備えることができる。
【００４７】
上記装着部材１１は、弾性材で構成されることができる。弾性材とは弾性をもっている物体を言う。
【００４８】
上記弾性材は、シリコンとすることができる。シリコンとはシロキサン結合による主骨格を持つ、人工高分子化合物をいう。化学的に安定で、ヒトを含む生体への毒性が小さい化合物である。
【００４９】
図８は、発光部２０を模式的に示した図である。図８に示すように、上記発光部２０は、１以上の発光ダイオードで構成されることができる。
【００５０】
上記発光部２０は、１以上の発光ダイオードで構成されることができ、例えば、発光部２０は、赤色の光を放射する発光ダイオード１、青色の光を放射する発光ダイオード２、緑色の光を放射する発光ダイオード３、または、白色の光を放射する発光ダイオード４、もしくは、これらの組み合わせで構成しても良い。
【００５１】
上記発光ダイオード１としては、例えば、６６０ｎｍ付近をピーク波長とする赤色発光ダイオードを用いることができる。
【００５２】
上記発光ダイオード２としては、例えば、４７０ｎｍ付近をピーク波長とする青色発光ダイオードを用いることができる。
【００５３】
上記発光ダイオード３としては、例えば、５２５ｎｍ付近をピーク波長とする緑色発光ダイオードを用いることができる。
【００５４】
上記発光ダイオード４としては、例えば、蛍光体方式で白色を表現する発光ダイオードを用いるのが好ましい。蛍光体方式とは、青またはそれよりも波長の短い発光ダイオードと蛍光体とを組み合わせることにより白色を表現する方式であり、発光ダイオードのチップを蛍光体で覆い、これを点灯させると、蛍光による光と蛍光体を透過した光の混合が得られ、蛍光波長や蛍光体の厚さなどを調整することで白色光を得ることが出来るものである。
【００５５】
上記制御部１５は、発光部２０のＯＮ／ＯＦＦを制御することができる。１以上の発光ダイオードで発光部を構成した場合、発光ダイオード１、発光ダイオード２、発光ダイオード３、および、発光ダイオード４のうちのいずれかの組み合わせ、または、すべてについて各々のＯＮ／ＯＦＦ、および、発光パターンを制御することができる。発光パターンには、色の切り替えや、点滅等による表現が含まれる。
【００５６】
上記制御部１５は、さらに、発光ダイオード４の照度を調整することができる。かかる構成を有することにより、発光の表現のバリエーションをより増やすことができる。
【００５７】
図９は、本発明の実施形態に従う発光体１００の一例である指輪を分解した状態を示した図である。
【００５８】
図９に示した例では、発光体１００は、本体部１０の発光部２０を有する面に覆いかぶさるように蓋部４０が配置されて蓋部４０を本体部１０とストッパー２００とで挟み、固定されている。
【００５９】
図１乃至図９に示した例では、発光体１００が円状で表されているが、多角形や星形等の形状とすることもできる。
【００６０】
以上、本発明の実施の形態を説明したが、上記に記載した実施の形態は特許請求の範囲に係る発明を限定するものではない。また、実施の形態の中で説明した特徴の組合せのすべてが発明の課題を解決するための手段に必須であるとは限らない点に留意すべきである。
【符号の説明】
【００６１】
１００  発光体
１０  本体部
１１  装着部材
１２  凹部
１３  スイッチ部
１４  スイッチ版
１５  制御部
２０  発光部
３０  電源部
４０  蓋部
４１  第一の蓋部分
４２  第二の蓋部分
２００  ストッパー
【図１】
2015225695.tif 000003
【図２】
2015225695.tif 000004
【図３】
2015225695.tif 000005
【図４】
2015225695.tif 000006
【図５】
2015225695.tif 000007
【図６】
2015225695.tif 000008
【図７】
2015225695.tif 000009
【図８】
2015225695.tif 000010
【図９】
2015225695.tif 000011